【手続補正書】
【提出日】平成29年4月13日(2017.4.13)
【手続補正１】
【補正対象書類名】明細書
【補正対象項目名】全文
【補正方法】変更
【補正の内容】
【発明の詳細な説明】
【発明の名称】スライドドアのための機能的フィティング
【技術分野】
【０００１】
本発明は、請求項１のプリアンブルによる、家具用のスライドドアのための機能的フィティングに関し、また、このようなフィティングを有する家具に関する。
【背景技術】
【０００２】
スライドドアのフィティングと、少なくとも一枚のスライドドアを有する家具とは、従来技術によって長い間知られている。  
このようなフィティングと家具とにおける現行バージョンは、特許文献１、特許文献２、特許文献３、および特許文献４によって開示されている。  
この進展の背景は、高品質家具の分野に向けた、ますます数の増えている、継ぎ目のない同一平面のスライドドアのシステムが、オフィス家具、家庭用家具、および寝室用家具の分野において用いられ、また台所や浴室では、キャビネット、ベースキャビネット、ウォールキャビネット、およびサイドボードに用いられていることである。  
このため、「キャビネット」という用語は、以下の説明と、随意によっては請求項とに限定して理解されるべきではなく、一枚または複数枚のスライドドアを備える、家具本体を有する家具に対して同じ意味で用いられている。
【０００３】
さらに家具は、少なくとも一枚のスライドドアに加え、１つまたは複数のさらなるクロージャ部品（ｃｌｏｓｕｒｅ  ｅｌｅｍｅｎｔ）を備え得る。  
クロージャ部品は、たとえばスライドドア、回転ドア、引出しの正面、フラップ（ｆｌａｐ）、シャッターなどの、開口部を覆うために用いることができるすべての部品として理解されたい。
【０００４】
特に、重量のあるスライドドアを有する家具の場合には、それらのスライドドアは、家具本体における一方の側だけでなく、各スライドドアの２つの側に移動可能に導かれる必要がある。  
この場合、２つのスライドガイドの一方は、誘導中にドア重量の重い方の関連部分を支えるようにしてしばしば配置され（以降では耐荷重フィティングと呼ばれる）、２つのスライドガイドの他方では、メインの誘導機能よりも比較的少ない耐荷重の誘導機能が実質的に想定されている。  
これら２つのスライドガイドの同期は、２つのスライドガイドが直線的なリニアガイドにおいて誘導される場合には通常は問題とならない。  
しかしこれは、従来技術で述べられているタイプのスライドドアのフィティングでは、実現が困難である。  
なぜなら、このようなスライドドアのフィティングの場合には、二枚のスライドドアは、閉じた状態において共通面に配置され、スライドドアが開く際には、この状態から、家具本体からさらに間隔のとられた第２の面まで移動する必要があるとともに（第１の移動範囲）、他方のスライドドアに対して直線的に平行に、他方のスライドドアに沿って外側に移動し得るためである（第２の移動範囲）。
【０００５】
耐荷重フィティングは、必要な動きに加えてスライドドアの重量を実質的に支えるために、一般には比較的複雑に構成されているため、他方のスライドガイドのフィティングを、ガイドフィティングとして耐荷重フィティングのように用いることは、ほとんど意味をなさない。  
なぜなら、このことが、スライドドアにおける特に有利なスライド動作に必ずしもつながらないためである。  
そのため、耐荷重フィティングよりも簡単な機構をガイドフィティングとして用いることも知られている。  
この点において、（特に第１の移動範囲における）ガイドフィティングの動きに対する、耐荷重フィティングの動きの同期が課題となり、この課題は、構造に関して現在まで十分に解決されていない。
【先行技術文献】
【特許文献】
【０００６】
【特許文献１】欧州特許出願公開第１６１３８３１（Ａ１）号明細書
【特許文献２】欧州特許出願公開第２４１２９０６（Ａ１）号明細書
【特許文献３】国際公開第２０１０／０９５０２９（Ａ３）号明細書
【特許文献４】国際公開第２０１１／０７９４００（Ａ１）号明細書
【特許文献５】独国実用新案出願公開第２０２０１０９４（Ｕ１）号明細書
【発明の概要】
【発明が解決しようとする課題】
【０００７】
本発明の目的は、この課題を解決することである。
【課題を解決するための手段】
【０００８】
本目的は、請求項１の主題による機能的フィティングと、請求項２０の主題による家具とに関する本発明によって達成される。  
さらに本発明は、請求項２２における使用を提供する。ガイドレールという用語は、広範囲において適用されることになる。  
本願によれば、ガイドレールは、突出したレールだけでなく、溝や他のガイドトラックも含む。  
ガイドフィティングにおける少なくとも１つのガイド部品は、たとえばスライダ、またはローラとして構成されてもよい。
【０００９】
有利な実施形態は、従属請求項において提供されている。
【００１０】
請求項１によれば、第１の移動範囲と、第１の移動範囲からはずれた第２の移動範囲とを有するスライドドアの移動における同期と誘導のための機能的フィティングには、家具のスライドドアの一方の側において作用する少なくとも１つの耐荷重フィティングと、スライドドアの他方の側において作用する少なくとも１つのガイドフィティングとが設けられている。  
この機能的フィティングは、第１の移動範囲における耐荷重フィティングの移動とガイドフィティングの移動との同期、および、第２の移動範囲における耐荷重フィティングの移動とガイドフィティングの移動との非同期を特徴とし、スライドドアは、第１および第２の移動範囲においてガイドフィティングによって導かれる。
【００１１】
このソリューションは、構造的な観点からシンプルなものであり、さらには、同期によって生じる、邪魔になるいかなるノイズも放出せずに、ガイドフィティングによるスライドドアの滑らかな動作を確実なものとする。  
これは、同期が第１の移動範囲のみで有効になっており、それによって第２の移動範囲では、同期フィティングにおいて邪魔になるいかなる影響も及ぼすことなく、静かな誘導が確実なものとなるためである。
【００１２】
本発明によって、特に家具本体の直立軸に対して垂直な、スライドドアにおける様々な移動プロフィール（ｍｏｔｉｏｎ  ｐｒｏｆｉｌｅ）の実施が簡単に可能となる。  
移動プロフィールという用語は、家具本体の幅に対する、家具本体の奥行き方向におけるスライドドアの経路の比、ならびに、家具本体の直立軸のまわりの、随意により与えられるスライドドアの回転として理解されたい。  
平坦な移動プロフィールと、急激に変化する移動プロフィールとを同期させることが可能である。
【００１３】
機能的フィティングは、特に有利な変形によって家具本体に対して移動可能な、少なくとも１つの可動ガイドレール部を備える。  
この可動ガイドレール部は、スライドドアの上に配置されていない。  
この点において、少なくとも１つの可動ガイドレール部は、やはりキャビネットの奥行き面において、スライド方向に対して垂直に移動し得ることが好ましい。
【００１４】
好ましくは、耐荷重フィティングと組み合わせられた、さらなる単一の１つだけのドア接続部が提供される。  
家具本体の奥行き方向におけるスライドドアの位置は、耐荷重フィッティングにおいて、または耐荷重フィティングの近くで連続的に検出される。  
この情報は、少なくとも第１の移動範囲において機能的フィティングに伝えられる。
【００１５】
三点のドアの接続部分が、特に簡単な方法で実現されることが好ましい。  
サイドウォールもミドルウォールも必要とならない。  
スライドドアの上や、家具の収容空間の中の（外乱を引き起こす）同期部品も必要とならない。
【００１６】
第１の変形によれば、可動ガイドレール部は、家具本体に固定されたガイドレール部と可動ガイドレール部とがそろっていない第１の位置から、家具本体に固定された静止ガイドレール部と可動ガイドレール部とがそろっている第２の位置まで、少なくとも移送インターフェースの部分によって移動可能である。  
この機能的フィティングは、さらなる部品をスライドドアにつなぐことを必要とせずに、好ましくは外側のウォールの部分において同期するという利点を提供する。  
この同期は、開閉のための旋回において不可欠な範囲に対しても有効となることが好ましい。  
この範囲は、可能性のある第１の移動範囲を表す。  
家具本体の幅方向における、スライドドアの専用の平行移動（第２の移動範囲）に対しては、比較的安価で安定したガイドレールが用いられてもよい。
【００１７】
また、別の発明を示す、本発明のさらなる変形によれば、他方で、第１の位置から第２の位置に移動可能であるとともに、請求項７のようにして形成された可動ガイドレール部が専用に設けられる。  
この発明は、特許文献５によって知られている、特に移動動作とノイズ放出とに関して、フィティングをさらに進展させるものである。  
この点において、移動可能なガイドレールは、好ましいさらなる実施形態によるリニアガイドの上を、本体幅の半分以上にわたって延びてもよく、ドアを開くための移動におけるすべての経路、あるいは大部分の経路を可能にすることが好ましい。  
この代替ソリューションによって、移動可能なガイドトラックと、家具本体に固定されたガイドトラックとの間の移動が避けられる。
【００１８】
同期デバイスは、従来技術によってすでに知られている。  
これらの同期デバイスは、開閉中に常に移動し、かつ／または、別の方法で作動する。  
このことは、面Ｅ１から面Ｅ２までの、本体の奥行き方向におけるドアの専用の並進移動のための機能は、設置幅に関係する移動の後には必要ないということを無視している。  
このようなソリューションは、回転するベアリングやガイドなどのさらなる可動部品を必要とすることになり、それらの部品は、ベアリングの動きや許容誤差によって、最も低いと考えられる自由度をスライドドアに与えるとともに、特にスライドドアの安定性に負の影響を及ぼし、そのことがユーザに気づかれる恐れがある。  
さらに動作の質は、つながれている同期部品のもとでは、従来の一方向のガイドに比べて損なわれることになる。  
設置幅は、ドアが開く際に、ドアどうしの位置を互いに対して定めるものである。  
開いているドアの後ろ側のドア端が、閉じているドアの後ろ側のドア端に対して評価される。  
このすべては、請求項４の変形によって防止される。
【００１９】
さらに有利な変形によれば、実際の同期デバイスと、家具本体において他方（反対）の側にある耐荷重フィティングとの間には結合デバイスが介在する。  
この結合デバイスは、結合ロッド（回転ロッド）と、１つまたは複数のレバーとによって、シンプルかつ有利な方法で実現され得る。  
耐荷重フィティングとガイドフィティングとの間の結合は、他のロッド、制御ケーブル、プッシュロッド組立体、空圧または油圧で作動するシリンダ、あるいは、知られている技術的な動作原理の組み合わせを使って様々な方法で代替的に実現されてもよい。  
また、電気機械的な伝達が考えられてもよい。家具本体におけるこれらのタイプの伝達の構成は、それぞれ見えるようになっているか、あるいは、たとえば家具の内部空間やリアウォールの後ろで見えないようになっているか、あるいは、サイドウォールの中に埋め込まれている。
【００２０】
同期デバイスは、様々な家具本体の奥行きを有する家具において用いられる、特に、調整可能な少なくとも１つの一体型または別体型のレバーやケーブルなどを用いることによって、様々な設置幅に対して用いられてもよい。  
結合デバイスでは、家具本体の高さにおける可変性が考慮されることが好ましい。  
結合デバイスは、家具に固定されている静止回転ベアリングに取り付けられる結合ロッドとしてのサイズになるように、たとえば回転ロッドをカットすることによって実現されてもよい。  
伸縮式の結合ロッドが代替的に用いられてもよい。
【００２１】
機能的フィティングにおける幅の自由度は、ガイドレールが、スライドドアの実際の幅に対するサイズにカットされた部分からなるようにして、簡単に実現することができる。
【００２２】
また本発明は、継ぎ目のない同一平面の家具（すなわち、少なくとも一枚のスライドドアが、閉じた状態において、さらなるクロージャ部品に関係する面の中にある）に向けた、スライドドアのフィティングを提供することができる。  
このスライドドアのフィティングは、耐荷重フィティングと、ガイドフィティングと、スライドドアごとの同期デバイスのうちの１つとを備える。  
このようなフィティングは、スペース要件の低さと、構造的にシンプルな構成と、ノイズ放出の低さとを特徴とする。
【００２３】
スライドドアの縁を加工する必要はない。  
さらに、二次的に閉じるための縁（ｓｅｃｏｎｄａｒｙ  ｃｌｏｓｉｎｇ  ｅｄｇｅ）は存在しない。  
すなわち、スライドドアのすべての点が、開くための動作中に家具本体から離れる。
【００２４】
本発明によるスライドドアのフィティングは、スライドドアが「互いの前方を」移動することを可能にし、家具の収納空間に対する、好ましくはフルアクセスを可能にする。  
さらにフィティングは、キャビネットの幅全体にわたる、収納空間へのフルアクセスを可能にする。  
内部空間の幅と高さ全体にわたってファイルで埋め尽くすことが可能であり、プルアウトガイドの使用が極めて良好に実現され得る。
【００２５】
エクステンションアームが、可動レール部に対する移送インターフェースに到達するまでの間、可動レール部が、開閉中に、家具本体に固定されたガイドレール部とスライド方向においてそろった状態となることを確実なものとするため、エクステンションアームのない状態で可動レール部が移動しないようにするロックデバイスが、同期デバイスに設けられてもよい。  
このロック機構は、エクステンションアーム、エクステンションアームの部品、またはガイド部品によって、スライドドアを閉じる際に解除されるようにして配置されていてもよい。
【００２６】
好ましい実施形態によれば、ロック機構は、ロック用のバー部品を備え、このロック用のバー部品は、スライドドアを開く際に、２つのガイドレール部が互いにそろった状態になる位置で、キャリッジをロックする位置まで非接触で導かれ得るか、あるいは、スライドドアを閉じる際に、キャリッジのロックを解除する位置まで非接触で導かれ得る。  
このことによって、スライドドアを引き出してそれを閉じる間にキャリッジがこの位置で固定されることが、簡単に確実なものとなる。
【００２７】
同期デバイスは、高さの設定が行われ得ることが有利である。  
このことによって、寸法のずれがある場合でも、２つのレール部が移送インターフェースの上で隣接端（ａｂｕｔｔｉｎｇ  ｅｄｇｅ）を形成しないことが確実なものとなり、それによって移送インターフェースにわたる滑らかな転がりが確実なものとなる。
【００２８】
スライドドアは、開く際には、面Ｅ２に移動できるように最初は外側に旋回し得る。  
また、開く際には、面Ｅ２まで、最初は開く方向（スライド方向）に対して垂直にスライドドアを移動させることも考えられる。この場合にも同期が有利である。
【００２９】
以下では、図面に示されている好ましい実施形態を参照して、本発明をさらに詳しく説明する。
【図面の簡単な説明】
【００３０】
【図１】スライドドアのフィティングを有さない状態で示されている、スライドドアのキャビネットにおける斜視図である。
【図２ａ】図１のタイプのスライドドアのキャビネットにおけるフィティング構成の概略図である。
【図２ｂ】図１のタイプのスライドドアのキャビネットにおけるフィティング構成の概略図である。
【図２ｃ】図２ａのタイプのフィティング構成に対する力の作用と実効トルクとを示す図である。
【図３ａ】スライドドアのキャビネットの上面図であって、キャリッジ構成体である２つの耐荷重フィティングがキャビネットの上面に配置され、二枚のスライドドアの一方が開いている間の、時間差を設けた間隔におけるスナップショットを示す、上面図である。
【図３ｂ】スライドドアのキャビネットの上面図であって、キャリッジ構成体である２つの耐荷重フィティングがキャビネットの上面に配置され、二枚のスライドドアの一方が開いている間の、時間差を設けた間隔におけるスナップショットを示す、上面図である。
【図３ｃ】スライドドアのキャビネットの上面図であって、キャリッジ構成体である２つの耐荷重フィティングがキャビネットの上面に配置され、二枚のスライドドアの一方が開いている間の、時間差を設けた間隔におけるスナップショットを示す、上面図である。
【図３ｄ】スライドドアのキャビネットの上面図であって、キャリッジ構成体である２つの耐荷重フィティングがキャビネットの上面に配置され、二枚のスライドドアの一方が開いている間の、時間差を設けた間隔におけるスナップショットを示す、上面図である。
【図４ａ】スライドドアが開いている間における、部分的に隠れているキャリッジを有する図２の構成の一部の、時間差を設けられた間隔におけるスナップショットである。
【図４ｂ】図４ａの部分拡大図Ｐである。
【図４ｃ】スライドドアが開いている間における、部分的に隠れているキャリッジを有する図２の構成の一部の、時間差を設けられた間隔におけるスナップショットである。
【図４ｄ】図４ｃの部分拡大図Ｑである。
【図４ｅ】スライドドアが開いている間における、部分的に隠れているキャリッジを有する図２の構成の一部の、時間差を設けられた間隔におけるスナップショットである。
【図４ｆ】図４ｅの部分拡大図Ｒである。
【図５】スライドドアの耐荷重フィティングと、スライドドアのガイドフィティングとの間の結合デバイスおよび機能的フィティングの斜視図である。
【図６】ベースウォールと、図５の構成におけるスライドドアの１つとの間に設けられた接続部分、機能的フィティング、および、部分的に開いているスライドドアの斜視図である。
【図７】ベースウォールとスライドドアとがない状態における、図６の構成の斜視図である。
【図８】スライドドアを有する、図６の構成における上面図である。
【図９】ベースウォールと、図５の構成におけるスライドドアの１つとの間に設けられた接続部分、機能的フィティング、および、閉じているスライドドアの斜視図である。
【図１０】ベースウォールがなくスライドドアがある状態における、図９の構成の上面図である。
【図１１】スライドドアがなく結合部品を有する、図９の構成における斜視図である。
【図１２】図１０の部品の一部である。
【図１３ａ】機能的フィティング用のロックデバイスの、ロック位置を示す斜視図である。
【図１３ｂ】機能的フィティング用のロックデバイスの、ロック解除位置を示す斜視図である。
【図１３ｃ】機能的フィティング用のロックデバイスの、ロック位置を示す斜視図である。
【図１４ａ】機能的フィティングの高さを設定するためのデバイスの斜視図である。
【図１４ｂ】上面図である。
【図１４ｃ】図１４ｂのラインＭ−Ｍにおける断面図である。
【図１５ａ】機能的フィティング用の代替的なロックデバイスの、ロック解除位置における斜視図である。
【図１５ｂ】図１５ａの拡大斜視図Ｓである。
【図１６ａ】機能的フィティング用の、図１５の代替的なロックデバイスの、ロック位置における斜視図である。
【図１６ｂ】図１６ａの拡大斜視図Ｔである。
【発明を実施するための形態】
【００３１】
上部、底部、左、右、正面、背面などの、以下で用いられている用語は、図面と、それらの図面において示されている好ましい構成とを排他的に参照するものである。  
これらの用語は、限定的なものとして理解されてはならず、設置位置の変更の際には、座標系における変形に応じて、変更された向きに対して変えられることになる。
【００３２】
図１は、（家具）本体１を有する家具を示す。（家具）本体１は、好ましい実施形態では正面側に向いて開いており、他方の側（トップウォール２、ベースウォール３（図６）、右側ウォール４、左側ウォール５、リアウォール６）では閉じて作られている。  
二枚のスライドドア７、８は、開いている家具本体１の正面側の外側で、家具本体１に対し、また互いに対して移動可能に配置され、それぞれが耐荷重フィティング９とガイドフィティング２０とを備えている（図２、図３、図４）。
【００３３】
耐荷重フィティング９における２つのキャリッジ構成体１０、１１は、スライドドア７、８の移動を実現するために用いられている。  
（右側の）スライドドア７と、（左側の）スライドドア８とは、それらのドアが、スライド経路、すなわち、開くための経路と閉じるための経路との一部にわたって互いを通り過ぎて平行にスライドし得るように、（右側の）キャリッジ構成体１０と（左側の）キャリッジ構成体１１とによって、家具本体１の上で移動可能に導かれる。  
スライドドア７、８の数に対応したいくつかのキャリッジ構成体１０、１１が用いられる。  
フィティングは、単一の共通面Ｅ１（図１、図３ｄ参照）において、家具本体の上で閉じた位置に位置している、少なくとも二枚のスライドドア７、８に対して特に有利に適している。
【００３４】
このような位置からスライドドアの一方（たとえば、スライドドア８）が開くことを可能にするためには、まず上記のスライドドア８が、面Ｅ１から間隔がとられている面Ｅ２まで移動する必要がある。  
次にスライドドア８は、他方のスライドドア７を通り越して移動することができる（逆の場合も同様である）。  
このことは、それぞれの耐荷重フィティング９によって可能となる（図３ａ〜図３ｄを参照）。  
またＥ２とＥ１との間の距離は、以下では設置幅Ｂとして示されている。
【００３５】
それぞれのキャリッジ構成体１０、１１は、家具に対向する側（図１ではトップウォール２）において、第１の外側ガイドキャリッジ１２ａと、第２の外側ガイドキャリッジ１２ｂとを備えている。  
また、それぞれのキャリッジ構成体１０、１１は、レールデバイス１３（図３ａ、図３ｂ）に接しているローラまたはホイールによって、家具のトップウォール２に対して（あるいは、家具本体１のベースウォール３の下側に対して（図３ａ〜図３ｅ参照））間隔を空けて、開いている正面側に対して平行に、すなわち、スライドドア８の移動の主方向に対して平行に移動可能である。  
このレールデバイス１３は、製造を安価にする（たとえば、アルミニウムで作られた）押出形材として設けられていてもよい。  
またレールデバイス１３は、任意の他の方法で作られていてもよい。  
これらのキャリッジ構成体は、面Ｅ１および面Ｅ２に平行な、この場合にはローラによって生じる変位Ｘの方向に、レールデバイスの上を移動可能に導かれる。
【００３６】
家具本体１の上で閉じている位置からスライドドア８を移動させるとともに、そのスライドドアを、同じ面Ｅ１において閉じている位置に位置している他方のスライドドア７を通り越して移動させるために、面Ｅ１から開く際にそのスライドドアを、第２の面Ｅ２まで、フィティング９のキャリッジ構成体１１によって移動させることが可能である。  
この面Ｅ２は、面Ｅ１と平行に広がっているが、家具本体からさらに離れているため、スライドドア７、８は、互いを通り越してスライドし得る。
【００３７】
このことを実現するため、第１および第２の内側の（および上側の）ガイドキャリッジ１８ａ、１８ｂが、第１および第２の外側の（および下側の）ガイドキャリッジ１２ａ、１２ｂの上に配置され、これらの内側のガイドキャリッジ１８ａ、１８ｂは、内側のガイドキャリッジ１８ａ、１８ｂに接している外側のガイドキャリッジ１２ａ、１２ｂに対して、特に面Ｅ１、面Ｅ２に対して垂直に移動し得る。
【００３８】
このため、第１の外側ガイドキャリッジ１２ａと、第１の内側ガイドキャリッジ１８ａとの間、および、第２の外側ガイドキャリッジ１２ｂと、第２の内側ガイドキャリッジ１８ｂとの間（図３）には、（詳細には示されていない）ガイドデバイスが用いられ、それらのガイドデバイスは、ローラガイドとして設けられていてもよい。
【００３９】
さらに、第１および第２の内側ガイドキャリッジ１８ａ、１８ｂは、少なくとも１つのエクステンションアーム（ウェブ）１４、１５をそれぞれ備え、エクステンションアーム１４、１５には、それぞれのスライドドア８が固定手段により固定されているか、もしくは固定されていてもよい。  
固定手段は、この目的に好適な取り付け用部品１６を備え得る（図３）。
【００４０】
この場合、レールデバイス１３に対向している第１の内側ガイドキャリッジ１８ａの側には、（図３ｄ）（単一の）カムローラが設けられている。このカムローラは、トップウォールまたはボトムウォールに対して平行に配置され、カムローラの回転軸は、トップウォールまたはベースウォールに対して垂直にそろえられている。  
上記のカムローラは、レールデバイスにおける制御用の輪郭部分（ｃｏｎｔｒｏｌ  ｃｏｎｔｏｕｒ）Ｓｋ（図示せず）の中で導かれる。  
このため、対応する第１の内側ガイドキャリッジ１８ａは、最初に第１の面Ｅ１から第２の面Ｅ２に移動し、次に面Ｅ２と平行に移動する。
【００４１】
第１の内側ガイドキャリッジ１８ａと、（第２の外側ガイドキャリッジ１２ｂの上にある）第２の内側ガイドキャリッジ１８ｂとの、同期のとれた（調和した同時の）動作は、特に有利なマルチジョイントレバーの運動学（装置）１９によって、カムローラを用いずに実現される（図３ａ〜図３ｄを参照）。
【００４２】
マルチジョイントレバーの運動学装置１９は、開くためのプロセス中において、スライドドア８が家具本体１から常に離れるとともに、第１のガイドキャリッジ１２ａ、１２ｂ（図３）に同期して追従するようにして選択および構成されている。  
この動作は、閉めるためのプロセス中にはそれぞれ逆になるように行われる。
【００４３】
それぞれのスライドドアを開く際には、手動の力によってスライドドアが旋回して開き、そのスライドドアは、継ぎ目のない同一平面の開始位置から、家具本体からの所定の距離を有する平行な位置まで導かれる。  
スライドドア７、８は、旋回運動と同時に、家具本体と平行に横方向に移動する。
【００４４】
それぞれのフィティング９の機能は、フィティング全体における９０°の回転中に提供される。  
調和のとれたシーケンス動作は、一般に、用いられているマルチジョイントレバーの運動学によってもたらされる。  
この動作プロフィール（ｒｕｎｎｉｎｇ  ｐｒｏｆｉｌｅ）におけるすべての部品やモジュールは、機械的な再加工をせずに作ることができ、また家具本体の多様な寸法が実現され得るようにして取り付けることができる。
【００４５】
この耐荷重フィティングは、このように例として実現され得る。  
耐荷重フィティングは、構造的に異なる方法で設けられてもよい。
【００４６】
耐荷重フィティング９は、家具本体の上側において配置されても下側において配置されてもよく、言い替えれば、スライドドア７、８に取り付けることができる（図２参照）。
【００４７】
取り付けられることになるガイドフィティング２０は、スライドドアを導くため、家具本体１において、スライドドアの反対側に形成される。  
このガイドフィティング２０は、関係するスライドドアの重量を支えることはないが、スライドドア７、８を保持し、安定させ、それらを導く（図２ｃ、図８）。
【００４８】
外側および内側に向かう旋回中、すなわち、家具のドア、すなわちスライドドア７、８を開くための動作の開始時と、それらを閉じるための動作の完了の際には、（家具本体の高さにおける軸のまわりの）回転と、家具本体の奥行き方向、および幅方向（図１および図２を参照）における２つの並進運動の成分とによって、結合した動き（図２参照）が作り出される。  
外側および内側に向かう旋回中には、耐荷重フィティングの接続部分にトルクが生じ、それらのトルクは、ドアの上端と下端とにおいて必要な垂直方向の（縦方向の）位置に直接的な影響を及ぼす（図２）。  
これらのトルクは、一方ではドアの重量によって導入され、他方では、ユーザによる開くための操作、または閉じるための操作によって導入される。  
耐荷重フィティングの側のドア端（ドアの上端または下端）と、耐荷重フィティングから離れる方に向いているドア端とが、互いに平行となるように、言いかえれば、垂直方向において一致するように、耐荷重フィティングの側のドア端の位置情報を、耐荷重フィティングから離れる方に向いているドア端に伝えるために、ガイドフィティング２０は、対応する耐荷重フィティング９と同期している必要がある。
【００４９】
以下で説明される（同期フィティングまたは同期デバイスとしても知られている）機能的フィティングは、ドアの垂直方向の位置に対するこれらのトルクを実質的に補償することができ、それによって、ユーザに違和感のない、家具のドアにおける継続的かつ安定的な、開くための動作が確実なものとなる。  
家具本体の上のレール２１ａ、２１ｂは、たとえばガイドフィティング２０として好適であり、ガイドフィティング２０の上では、エクステンションアーム２２が移動可能に導かれ、スライドドア７または８は、たとえば１つまたは複数の（この場合には２つの）ローラ２３によって、ガイドフィティング２０に対して直接的または間接的に取り付けられる。  
ローラ２３の軸は、変位Ｘの方向に直交して垂直方向にそろえられていることが好ましく、ローラ２３は、上記レール２１ａ、２１ｂ（図９）の上を、上記レール２１ａ、２１ｂの両側において移動する。
【００５０】
本実施形態では、第１の移動範囲における耐荷重フィティング９の動作とガイドフィティング２０の動作との同期が、結合デバイスと組み合わせられた同期デバイスによって可能となる。
【００５１】
同期および結合デバイスは、耐荷重フィティング９の側にガイド装置Ｓ１（図４、図５）を備える。  
上記のガイド装置Ｓ１は、キャビネットの上に静止して配置されたガイド２４と、ガイド２４の上を移動可能に導かれるキャリッジ２５とを備える。  
キャリッジ２５の上には、スロットまたはギャップ構成体２６が形成され、スロットまたはギャップ構成体２６は、キャリッジ構成体１０、１１に配置された突起またはピン２７などの部品が、キャリッジ構成体１０、１１（図４）が伸びたり引っ込んだりする間、上記のスロットまたはギャップ構成体２６において噛み合うようにして配置されている。  
上記のピン２７は、スライドドアが面Ｅ１から面Ｅ２に、また面Ｅ２から面Ｅ１に移動する、スライドドアの移動経路の少なくとも一部において、スロットまたはギャップ構成体２６において噛み合っている。  
このように、ピン２７は、開くかまたは閉じる際に、ガイド２４の上でキャリッジ２５を設置幅Ｂの分だけ移動させる。  
このピン２７は、制御用の輪郭部分ＳＫにおけるアーク形の部分において、好ましくは、または排他的に噛み合う。
【００５２】
スロットまたはギャップ構成体２６は、図示されている実施形態では、２×２個のガイド部品２８ａ、２８ｂ、および２９ａ、２９ｂにより、単に例として形成されている。
【００５３】
レバージョイント組立体におけるレバー３０は、図５に例として示されているように、キャリッジ２５に関節でつながれたように接続されている。  
上記のレバージョイント組立体は、キャリッジ２５の直線的な動きを、（図示されていない）家具本体を垂直方向に貫通している結合用の回転ロッド３１の回転に変える。  
このため、ジョイントレバー組立体は、キャリッジ２５につながれたレバー３０と、少なくとも１つまたは複数のレバー３２とを備えている。
【００５４】
レバー３２のうちの１つの端部は、結合ロッド３１における、トルクを伝達する輪郭部分に、ねじれのないようにして固定されるとともに、家具本体に静止するようにして取り付けられた支持体３３につながれていてもよい。  
結合ロッド３１は、それぞれ耐荷重フィティング９を、対応するガイドフィティング２０に垂直方向に接続している。
【００５５】
ガイドフィティング２０の側に配置された前述のレバージョイント組立体は、同様に、結合ロッド３１の動きを直線的な動きに変える。  
図５に示されているレバージョイント構成体は、互いに関節でつながれたように接続された少なくとも２つのレバー３４、３５を備える。  
レバー３４は、結合ロッド３１に接続されるとともに、本体側に固定された支持体３６に回転可能に取り付けられている。  
レバー３５は、レバー３４に枢動可能に接続され、レバー３５の端部は、その一部においてキャリッジ３７につながれ、キャリッジ３７は、面Ｅ１および面Ｅ２に対して垂直に、好ましくは設置幅Ｂの分だけ移動可能に導かれる。
【００５６】
このためキャリッジ３７は、耐荷重フィティングの反対側に形成されているウォール（すなわち、ベースウォール３またはトップウォール２）の側において静止するようにして形成された、上記ウォールの上に配置されたレール３８の上で導かれる。  
キャリッジ３７およびレール３８は、一種の（回転体の）プルアウトガイド（ｐｕｌｌ−ｏｕｔ  ｇｕｉｄｅ）として形成されていてもよく、この場合には、キャリッジ３７とレール３８との間に、（図示されていない）回転体が形成されていることが好ましい（図５、図１１）。
【００５７】
このように、耐荷重フィティング９の側におけるキャリッジ２５の移動は、ガイドフィティング２０の側に、精密かつ構造的に簡単な方法で伝えられる。  
キャリッジ３７の動きは、キャリッジ２５の動きと結合しているため、キャリッジ３７によって、キャリッジ２５の動きが同期して行われる。
【００５８】
さらにキャリッジ３７は、プレート４０に結合した可動レール３９を備える。  
可動ガイドレール部２１ｂを有する移動可能なキャリッジ３７は、説明された結合デバイスと共に同期および結合デバイスを構成している、同期デバイスの部品のうちの１つの構成体である。
【００５９】
ガイドレール２１は、家具本体に固定されたレール・トラック部２１ａと、可動レール・トラック部２１ｂとを備える。  
上記の可動ガイドレール部２１ｂは、キャリッジ３７の上に形成され、好ましくはプレート４０の上に形成されている。
【００６０】
この部分では、可動ガイドレール部２１ｂのまわりでローラ２３が噛み合う。  
可動ガイドレール部２１ｂの長さは、耐荷重フィティング９の内側ガイドキャリッジ１８ａ、１８ｂが面Ｅ１と面Ｅ２との間（第１の移動範囲）を移動するスライド方向Ｘにおいて開くための経路の長さに対応している必要がある。  
これは、ガイドフィティング２０の側においても、スライドドア７、８が面Ｅ１から面Ｅ２まで設置幅Ｂの分だけ移動するためである。  
可動ガイドレール部２１ｂは、内側ガイドキャリッジ１８ａ、１８ｂの現在の位置に依存する、キャリッジ２５の位置に応じて、家具本体に固定されたガイドレール部２１ａとそろった状態にあるか（図５、図６、図７、図１２）、もしくは、ガイドレール部２１ａに対して垂直に設置幅の分だけ移動中であり、後者の場合には、可動ガイドレール部２１ｂはローラ２３によって囲まれている（図９、図１０、図１１）。  
可動ガイドレール部２１ｂがそろった状態にある場合、ローラ２３は、可動ガイドレール部２１ｂから固定ガイドレール部２１ａの部分まで移動することができ（図６、図１２）、さらに固定ガイドレール部２１ａから可動ガイドレール部２１ｂまで移動することができる。
【００６１】
２つまたは３つ以上の（回転体の）プルアウトガイド４１ａ、４１ｂは、図面に示されているように、それぞれがキャリッジとレールとからなり、互いに対して平行に配置され得る。  
このことは、動作シーケンスを安定化させるとともに、それを向上させる。  
上記のプルアウトガイド４１ａ、４１ｂは、家具本体のトップウォール２またはベースウォール３のくぼみ４２の中に、スペースを節約するようにして有利に配置されていてもよい。  
このようにして全体的な高さが変えられる。  
トップウォール２またはベースウォール３の上に直接的に配置する構成も、代替的に可能である。  
さらに、トップウォール２またはベースウォール３の外側に配置する構成や、家具本体の内部において壁の内側に配置する構成も可能である。
【００６２】
プレート４０は、この場合にはプルアウトガイド４１ａ、４１ｂを互いに対して接続している。
【００６３】
たとえば面Ｅ１から面Ｅ２への移動の末端において（あるいは、面Ｅ２から面Ｅ１への移動の末端において）ノイズの放出を低減するために（特に図５を参照）、キャリッジ３７が、キャリッジ３７の経路を制動されるようにして通過するように、プルアウトガイド４１ａ、４１ｂの一方にダンパ（たとえば、空気ダンパ、または他の流体ダンパ）、好ましくはリニアダンパ４３をつなぐことが考えられてもよい。
【００６４】
一段方式または多段方式で伸縮し得る、１つまたは複数のプルアウトガイド４１ａ、４１ｂにキャリッジ２５、３７が配置されている場合、機能的フィティングは、様々な家具本体の奥行きに対して特に簡単な方法で調整され得る。
【００６５】
スライド方向に垂直な移動および旋回と、平行な移動とは、滑らかな移行を行うために、特に簡単な方法で相互につながっている。  
このため、旋回移動から直線移動への急激な移行の問題が避けられる。  
また、スライドドアの振動による刺激も防止される。  
逆に、スライドドアを閉じる際にも同様の利点が得られる。  
このプロセスでは、耐荷重フィティング９からの情報がガイドフィティングに伝えられる。  
図示されている構成では、ユーザが耐荷重フィティング９に近いドア部分を操作しているか、あるいはガイドフィティング２０に近いドア部分を操作しているかに応じて、同期デバイスおよび機能的フィティングに関する動き情報が実質的にガイドフィティングから取得され、それにより、耐荷重フィティングの動きがガイドフィティングによって同期される、ということも可能である。  
請求項１は、両方のタイプの同期を含んでいることが好ましく、したがって限定して理解されるべきではない。
【００６６】
任意のハンドル位置からスライドドアを開くことが可能である。  
カスタマーは、それぞれの設置幅の設定を選ぶことにより、スライドドアどうしの距離を個別に選択することができる。また、エクステンションアーム２２は、いくつかの設置幅が、エクステンションアーム２２により、１つまたは複数の部分において実現され得るようにして配置されていてもよい。  
フィティングの構造に対しては、ミドルウォールは必要とならない。
【００６７】
随意のさらなる展開には、ロック機構４４が設けられていると有利である。  
キャリッジ３７は、このロック機構４４により、２つのガイドレール部２１ａ、２１ｂが互いにそろった状態になる位置でロックされ、それによって、スライドドア（この場合には７）を引き出してそれを閉じる間、この位置を固定することができる。  
このようなロック機構４４は、比較的簡単な方法で実現することができる。
【００６８】
図１３ａ、図１３ｂによれば、ばねが装着されたロック用のバー部品４５が設けられ、このバー部品４５は、好ましくは家具の本体側から、ガイドレール部２１ａ、２１ｂが互いにそろった状態にあるキャリッジ４０の位置において、キャリッジ、特にプレート４０のくぼみ４６において噛み合う。  
上記のロック用のバー部品４５が、固定されているガイドレール部２１ａに面している側にガイド斜面を備え、その斜面の上を、スライドドア７を閉める際に、可動ガイドレール部２１ｂへの移動中にローラ２３の１つが登り上がると、ロック用のバー部品４５は、ローラ２３によって家具本体（図１３ｃ）の方向に押しつけられ、それによってロックが解除される。  
その結果、ガイドレール部２１ｂは、ローラ２３が上記の可動ガイドレール部２１ｂに沿って転がりつつ、スライド方向Ｘに対して垂直に移動する。  
この機構は、家具本体に固定されているガイドレール部に対する、リニアガイドの上の可動ガイドレール部の移送インターフェースにおける奥行きの調整に同時に利用されてもよい。
【００６９】
代替実施形態では、（図１５ａ、図１５ｂ、図１６ａ、および図１６ｂに示されている）ロック機構５２が、永久的な磁性のあるロック用のバー部品５３を備える。  
このロック用のバー部品５３は、キャリッジ３７、特にプレート４０に取り付けられた非磁性の収容ポケット５４の中で、摺動可能に噛み合うようにして保持されている。  
また、ロック用のバー部品５３は、好ましくは家具の本体側から、ガイドレール部２１ａ、２１ｂが互いにそろった状態にあるキャリッジ３７の位置において、キャリッジ３７、特にプレート４０がその上を移動可能に導かれるキャリッジハウジング５５のくぼみ５６、すなわち、キャリッジハウジング５５における反対側の輪郭部分において噛み合う。  
エクステンションアーム２２、エクステンションアーム２２の部品もしくはその一部、または、エクステンションアーム２２のガイド部品２３は、磁性材料、特に永久的な磁性のある材料を少なくとも部分的に含む。  
エクステンションアーム２２、エクステンションアーム２２の部品もしくはその一部、または、エクステンションアーム２２のガイド部品２３のうちの１つが、スライドドアを開く際に非磁性の収容ポケット５４を通り過ぎると、永久的な磁性のあるロック用のバー部品５３は、（図１６ｂに明確に示されているように）キャリッジハウジング５５に当たるまで、スライドドアが開く方向に非接触で引っ張られる。  
キャリッジハウジング５５の中の好適なくぼみ５６、すなわち反対側の輪郭部分、または、キャリッジハウジング５５の輪郭部分５７へのロック用バー部品５３の移動の結果、キャリッジ３７は、スライドドアのスライド方向Ｘに対して垂直方向にロックされる。  
スライドドアを閉じる際には、永久的な磁性のあるロック用のバー部品５３は、エクステンションアーム２２の通過によって、自身の収容ポケット５４の中に、反対方向に非接触で引っ張り戻される。  
永久的な磁性のあるロック用のバー部品５３は、キャリッジハウジング５５におけるくぼみ５６、すなわち反対側の輪郭部分において、この位置で、もはや噛み合わないため、キャリッジのロックが解除され、ガイドレール部２１ｂは、ガイド部品２３が上記のガイドレール部２１ｂに沿って転がりつつ、スライド方向Ｘに対して垂直に移動し得る。
【００７０】
最後に、随意である別のさらなる展開によれば、可動ガイドレール部２１ｂの高さを、固定ガイドレール部２１ａ、または家具本体１に対して調整するためのデバイス４７を設けることが有利である。  
このような高さ調整は、たとえば１つまたは複数の調整ねじ４８によって実現されてもよい。  
ガイドトラック／レール２１ａに対する、可動ガイドトラック／レール２１ｂの移送インターフェースにおける高さ調整の部分４８、４９、５０は、家具本体の上で実現される。  
調整ねじ４８によって調整され得る部品４７は、移送インターフェースによる移動中に、同期デバイスのベースプレートと接触する、固定されたセンタリング部品５０において噛み合い、それによって、可動ガイドトラック２１ｂの角度位置または高さに影響を及ぼし得る。
【００７１】
この機能的フィティングは、いくつかの家具本体が互いに隣接した、一枚だけのドアによって閉じられる家具に用いられてもよい。  
このドアは、いくつかの家具本体にわたって移動可能であってもよい。  
家具における少なくとも１つの家具本体、好ましくは、外側の家具本体の一方が、本発明による少なくとも１つの機能的フィティングを備えていてもよい。
【符号の説明】
【００７２】
面  Ｅ１、Ｅ２
設置幅  Ｂ
スライド方向  Ｘ
ガイド装置  Ｓ１
制御用の輪郭部分  Ｓｋ
家具本体  １
トップウォール  ２
ベースウォール  ３
右側ウォール  ４
左側ウォール  ５
リアウォール  ６
スライドドア  ７、８
耐荷重フィティング  ９
キャリッジ構成体  １０，１１
外側ガイドキャリッジ  １２ａ、１２ｂ
レールデバイス  １３
エクステンションアーム（ウェブ）  １４，１５
取り付け用部品  １６
内側ガイドキャリッジ  １８ａ、１８ｂ
マルチジョイントレバーの運動学装置  １９
ガイドフィティング  ２０
レール  ２１
レール部  ２１ａ、２１ｂ
エクステンションアーム  ２２
ローラ  ２３
ガイド  ２４
キャリッジ  ２５
ギャップ構成体  ２６
ピン  ２７
ガイド部品  ２８ａ、２８ｂ、２９ａ、２９ｂ
レバー  ３０
結合ロッド  ３１
レバー    ３２
支持体  ３３
レバー  ３４、３５
支持体  ３６
キャリッジ  ３７
レール    ３８
レール    ３９
プレート  ４０
プルアウトガイド  ４１ａ、４１ｂ
くぼみ  ４２
ダンパ  ４３
ロック機構  ４４
ロック用のバー部品４５
くぼみ  ４６
高さ調整デバイス４７
調整ねじ  ４８
部品  ４９
センタリング部品  ５０
ベースプレート  ５１
ロック機構  ５２
ロック用のバー部品５３
収容ポケット  ５４
キャリッジハウジング  ５５
くぼみ  ５６
輪郭部分  ５７
【手続補正２】
【補正対象書類名】特許請求の範囲
【補正対象項目名】全文
【補正方法】変更
【補正の内容】
【特許請求の範囲】
【請求項１】
第１の移動範囲と、前記第１の移動範囲からはずれた第２の移動範囲とを有するスライドドア（７、８）の移動における同期と誘導のための機能的フィティングであって、
家具のスライドドア（７、８）の一方の側において作用する少なくとも１つの耐荷重フィティング（９）と、
前記スライドドア（７、８）の他方の側において作用する少なくとも１つのガイドフィティング（２０）と
を備える機能的フィティングにおいて、
前記機能的フィティングが、第１の移動範囲における前記耐荷重フィティング（９）の移動と前記ガイドフィティングの移動との同期、および、第２の移動範囲における前記耐荷重フィティング（９）の移動と前記ガイドフィティングの移動との非同期を特徴とし、
前記スライドドア（７、８）が、前記第１および前記第２の移動範囲において前記ガイドフィティング（２０）によって導かれる
機能的フィティング。
【請求項２】
前記家具本体（１）に配置された少なくとも１つの可動ガイドレール部（２１ｂ）を備えることを特徴とする
請求項１に記載の機能的フィティング。
【請求項３】
前記可動ガイドレール部（２１ｂ）が、スライド方向（Ｘ）に対して垂直な、前記家具本体の奥行きの方向に移動可能であることを特徴とする
請求項２に記載の機能的フィティング。
【請求項４】
前記可動ガイドレール部（２１ｂ）が、前記家具本体（１）におけるガイドレール部（２１ａ）と前記可動ガイドレール部（２１ｂ）とがそろっていない第１の位置から、前記家具本体（１）に固定された前記ガイドレール部（２１ａ）と前記可動ガイドレール部（２１ｂ）とがそろった状態における第２の位置まで、少なくとも移送インターフェースの部分によって移動可能である
請求項２に記載の機能的フィティング。
【請求項５】
前記可動ガイドレール部（２１ｂ）が、スライドガイドの上で、または、スライドガイドと共に、好ましくはキャリッジ（３７）によって、前記家具本体に対して移動可能に導かれることを特徴とする
請求項１、２、３、または４に記載の機能的フィティング。
【請求項６】
第１の移動範囲と、前記第１の移動範囲からはずれた第２の移動範囲とを有するスライドドア（７、８）の移動における同期と誘導のための機能的フィティングであって、
家具のスライドドア（７、８）の一方の側において作用する少なくとも１つの耐荷重フィティング（９）と、
前記スライドドア（７、８）の他方の側において作用する少なくとも１つのガイドフィティング（２０）と
を備える機能的フィティングにおいて、
可動ガイドレール部だけが、前記家具本体における第１の位置から、前記家具本体における第２の位置まで移動可能であることを特徴とし、前記可動ガイドレール部（２１ｂ）が、スライドガイドの上で、または、スライドガイドと共に、キャリッジ（３７）によって、前記家具本体に対して移動可能に導かれ、前記キャリッジ（３７）が、少なくとも１つまたは複数のプルアウトガイド（４１ａ、４１ｂ）に接した状態で形成されている
機能的フィティング。
【請求項７】
前記可動ガイドレール部（２１ｂ）を特徴とし、前記可動ガイドレール部（２１ｂ）の上ではエクステンションアーム（２２）が移動可能に導かれ、前記スライドドア（７または８）が直接的または間接的に取り付けられているエクステンションアーム（２２）が、１つまたは複数のガイド部品等によって、好ましくは、前記スライドドアを開閉する間に前記可動ガイドレール部から前記非可動の固定ガイドレール部までそれぞれ移動する２つのローラ（２３）によって移動可能に導かれる
請求項１から６のいずれか一項に記載の機能的フィティング。
【請求項８】
前記耐荷重フィティング（９）の移動と、対応する前記ガイドフィティング（２０）の移動とのそれぞれの同期に向け、前記ガイドフィティング（２０）と、前記家具本体の他方の側にある前記耐荷重フィティング（９）との間に結合デバイスが介在していることを特徴とする
請求項１から７のいずれか一項に記載の機能的フィティング。
【請求項９】
前記結合デバイスが、キャリッジ（２５）を有するガイド装置（Ｓ１）を備え、前記キャリッジ（２５）が、前記可動ガイドレール部（２１ｂ）が配置されている前記ガイドフィティング（２０）の側の前記キャリッジ（３７）に、機構を介して接続されていることを特徴とする
請求項１から８のいずれか一項に記載の機能的フィティング。
【請求項１０】
前記機構が、結合ロッド（回転ロッド）（３１）と、１つまたは複数のレバー（３０、３２、３４、３５）とを備えることを特徴とする
請求項９に記載の機能的フィティング。
【請求項１１】
前記耐荷重フィティング（９）の側における前記キャリッジ（２５）の移動が、前記耐荷重フィティング（９）に配置された部品、特に、前記耐荷重フィティング（９）のキャリッジ（１０、１１）における突起またはピンによって制御されることを特徴とする
請求項１から１０のいずれか一項に記載の機能的フィティング。
【請求項１２】
前記キャリッジ（３７）が、前記家具本体（１）のくぼみ（４２）の中に配置されていることを特徴とする
請求項１から１１のいずれか一項に記載の機能的フィティング。
【請求項１３】
前記キャリッジ（３７）が、ベースウォール（３）もしくはトップウォール（２）の上または下、あるいは前記家具本体（１）の横に配置されていることを特徴とする
請求項１から１２のいずれか一項に記載の機能的フィティング。
【請求項１４】
前記キャリッジ（３７）が、少なくとも１つまたは複数のプルアウトガイド（４１ａ、４１ｂ）に接して形成されていることを特徴とする
請求項１から１３のいずれか一項に記載の機能的フィティング。
【請求項１５】
前記２つのガイドレール部（２１ａ、２１ｂ）が互いにそろった状態になる位置を、前記スライドドア（７、８）の第２の移動範囲における移動中に固定するために、ロック機構（４４、５２）が提供され、前記ロック機構（４４、５２）によって、前記キャリッジ（３７）が前記位置にロックされ得ることを特徴とする
請求項１から１４のいずれか一項に記載の機能的フィティング。
【請求項１６】
前記ロック機構（４４、５２）が、前記エクステンションアーム（２２）、前記エクステンションアームの部品、またはガイド部品（２３）によって、前記スライドドア（７、８）が閉じられる際に解除されることを特徴とする
請求項１５に記載の機能的フィティング。
【請求項１７】
前記ロック機構（５２）がロック用のバー部品（５３）を備え、前記ロック用のバー部品（５３）が、前記スライドドア（７、８）を開く際に、前記２つのガイドレール部（２１ａ、２１ｂ）が互いにそろった状態になる位置で、前記キャリッジ（３７）をロックする位置まで非接触で導かれ得るか、あるいは、前記スライドドア（７、８）を閉じる際に、前記キャリッジ（３７）のロックを解除する位置まで非接触で導かれ得ることを特徴とする
請求項１５に記載の機能的フィティング。
【請求項１８】
前記ロック用のバー部品（５３）が、前記キャリッジ（３７）における非磁性の収容ポケット（５４）の中に移動可能に導かれる、永久的な磁性のある部品として配置され、前記キャリッジ（３７）が移動可能に導かれるキャリッジハウジング（５５）にくぼみ（５６）が設けられ、前記ロック用のバー部品が、前記キャリッジ（３７）をロックする位置で、前記くぼみ（５６）において噛み合うことを特徴とする
請求項１７に記載の機能的フィティング。
【請求項１９】
前記エクステンションアーム（２２）、前記エクステンションアーム（２２）の部品もしくはその一部、またはガイド部品（２３）が磁気的に配置され、前記エクステンションアーム（２２）、前記エクステンションアーム（２２）の部品、または前記ガイド部品（２３）が前記収容ポケット（５４）に沿って通過する際に、前記ロック用のバー部品（５３）が、磁力による作用の結果として移動可能となることを特徴とする
請求項１８に記載の機能的フィティング。
【請求項２０】
さらなるクロージャ部品に対する面に配置された少なくとも一枚のスライドドア（７、８）と、少なくとも１つの耐荷重フィティング（９）と、少なくとも１つのガイドフィティング（２０）とを備え、請求項１から１９のいずれか一項に記載の機能的フィティングを備える
家具。
【請求項２１】
前記スライドドア（７、８）が、前記耐荷重フィティング（９）と組み合わせられた、さらなる単一の１つだけのドア接続部を備えることを特徴とする
請求項２０に記載の家具。
【請求項２２】
請求項１から１９のいずれか一項に記載の機能的フィティングを有する、請求項２０または２１に記載の家具における前記スライドドア（７、８）の開閉方法であって、
前記機能的フィティングの一部としての、家具の家具本体（１）に移動可能に配置されたガイドレール部（２１ｂ）が、前記スライドドア（７、８）のスライド方向（Ｘ）に対して垂直な、前記家具本体の奥行きの方向に移動することを特徴とする
前記スライドドア（７、８）の開閉方法。